(57)【要約】【課題】より信憑性の高い転送フォーマットを選択できる。【解決手段】少なくともレートマッチング２５、誤り訂正復号２７、及びＣＲＣ判定２８それぞれの処理に用いられる転送フォーマットとして、ＴＴＩ内最多ＴＦ調停２３が、転送チャネルの転送時間間隔中にフレームにより異なった転送フォーマットを受け取った際に受け取った転送フォーマットから最も確からしい一つとして最多転送フォーマットを決定している。最も確からしい一つとして、転送チャネルの復号処理に用いる転送フォーマット情報を確定する際、同一の転送時間間隔中に取得したフレームにおける転送フォーマットから選定する転送フォーマットは、上記最多数以外に、最大尤度又は最高受信品質を加えることができる。【選択図】      図１
2004349763.tif 000002
【特許請求の範囲】
【請求項１】
ＣＤＭＡ（符号分割多重アクセス）方式の移動体通信システムに用いられる受信装置において、転送チャネルの転送時間間隔中にフレームにより異なった転送フォーマットを受け取った際に、受け取った転送フォーマットのうち最も確からしい一つを調停転送フォーマットに決定する調停手段を備えることを特徴とするＣＤＭＡ受信装置。
【請求項２】
請求項１において、前記調停手段は、転送チャネルの復号処理に用いる転送フォーマット情報を確定する際、同一の転送時間間隔中に受け取った中で最多数の転送フォーマットを前記調停転送フォーマットに選定して転送フォーマット情報に確定することを特徴とするＣＤＭＡ受信装置。
【請求項３】
請求項１において、前記調停手段は、転送チャネルの復号処理に用いる転送フォーマット情報を確定する際、同一の転送時間間隔中に受け取った中で最多数の転送フォーマットを前記調停転送フォーマットに選定して転送フォーマット情報に確定し、かつ、最終フレームで行う処理のうち、転送チャネル分離、無線フレーム結合、及び１次インターリービングそれぞれの処理を各フレームにおける転送フォーマット情報、また、レートマッチング、誤り訂正復号、及びＣＲＣ（冗長度符号チェック）判定それぞれの処理を転送時間間隔内で一つにされた前記調停転送フォーマット、それぞれに基づいて行うことを特徴とするＣＤＭＡ受信装置。
【請求項４】
請求項１において、前記調停手段は、転送チャネルの復号処理に用いる転送フォーマット情報を確定する際、同一の転送時間間隔中に取得したフレームにおけるＴＦＣＩ（転送フォーマット組合せ指標）尤度の総和が最高である転送フォーマットを前記調停転送フォーマットに選定して転送フォーマット情報に確定することを特徴とするＣＤＭＡ受信装置。
【請求項５】
請求項１において、前記調停手段は、転送チャネルの復号処理に用いる転送フォーマット情報を確定する際、同一の転送時間間隔中に取得したフレームにおけるＴＦＣＩ（転送フォーマット組合せ指標）尤度の総和が最高である転送フォーマットを前記調停転送フォーマットに選定して転送フォーマット情報に確定し、かつ、最終フレームで行う処理のうち、転送チャネル分離、無線フレーム結合、及び１次インターリービングそれぞれの処理を各フレームにおける転送フォーマット情報、また、レートマッチング、誤り訂正復号、及びＣＲＣ（冗長度符号チェック）判定それぞれの処理を転送時間間隔内で一つにされた前記調停転送フォーマット、それぞれに基づいて行うことを特徴とするＣＤＭＡ受信装置。
【請求項６】
請求項１において、前記調停手段は、転送チャネルの復号処理に用いる転送フォーマット情報を確定する際、同一の転送時間間隔中に取得したフレームにおける受信品質情報の総和が最高である転送フォーマットを前記調停転送フォーマットに選定して転送フォーマット情報に確定することを特徴とするＣＤＭＡ受信装置。
【請求項７】
請求項１において、前記調停手段は、転送チャネルの復号処理に用いる転送フォーマット情報を確定する際、同一の転送時間間隔中に取得したフレームにおける受信品質情報の総和が最高である転送フォーマットを前記調停転送フォーマットに選定して転送フォーマット情報に確定し、かつ、最終フレームで行う処理のうち、転送チャネル分離、無線フレーム結合、及び１次インターリービングそれぞれの処理を各フレームにおける転送フォーマット情報、またレートマッチング、誤り訂正復号、及びＣＲＣ（冗長度符号チェック）判定それぞれの処理を転送時間間隔内で一つにされた前記調停転送フォーマット、それぞれに基づいて行うことを特徴とするＣＤＭＡ受信装置。
【請求項８】
請求項１において、前記調停手段は、転送チャネルの復号処理に用いる転送フォーマット情報を確定する際、同一の転送時間間隔中に取得したフレームにおけるＴＦＣＩ（転送フォーマット組合せ指標）尤度の最大値を有する転送フォーマットを前記調停転送フォーマットに選定して転送フォーマット情報に確定することを特徴とするＣＤＭＡ受信装置。
【請求項９】
請求項１において、前記調停手段は、転送チャネルの復号処理に用いる転送フォーマット情報を確定する際、同一の転送時間間隔中に取得したフレームにおけるＴＦＣＩ（転送フォーマット組合せ指標）尤度の最大値を有する転送フォーマットを前記調停転送フォーマットに選定して転送フォーマット情報に確定し、かつ、最終フレームで行う処理のうち、転送チャネル分離、無線フレーム結合、及び１次インターリービングそれぞれの処理を各フレームにおける転送フォーマット情報、また、レートマッチング、誤り訂正復号、及びＣＲＣ（冗長度符号チェック）判定それぞれの処理を転送時間間隔内で一つにされた前記調停転送フォーマット、それぞれに基づいて行うことを特徴とするＣＤＭＡ受信装置。
【請求項１０】
請求項１において、前記調停手段は、転送チャネルの復号処理に用いる転送フォーマット情報を確定する際、同一の転送時間間隔中に取得したフレームにおける受信品質情報の最大値を有する転送フォーマットを前記調停転送フォーマットに選定して転送フォーマット情報に確定することを特徴とするＣＤＭＡ受信装置。
【請求項１１】
請求項１において、前記調停手段は、転送チャネルの復号処理に用いる転送フォーマット情報を確定する際、同一の転送時間間隔中に取得したフレームにおける受信品質情報の最大値を有する転送フォーマットを前記調停転送フォーマットに選定して転送フォーマット情報に確定し、かつ、最終フレームで行う処理のうち、転送チャネル分離、無線フレーム結合、及び１次インターリービングそれぞれの処理を各フレームにおける転送フォーマット情報、またレートマッチング、誤り訂正復号、及びＣＲＣ（冗長度符号チェック）判定それぞれの処理を転送時間間隔内で一つにされた前記調停転送フォーマット、それぞれに基づいて行うことを特徴とするＣＤＭＡ受信装置。
【発明の詳細な説明】
【０００１】
【発明の属する技術分野】
本発明は、ＣＤＭＡ（符号分割多重アクセス）方式の移動体通信システムに用いられる受信装置に関し、特に、転送チャネルの復号処理に用いる転送フォーマット情報を確定する際に、信憑性の高い転送フォーマット（ＴｒａｎｓｐｏｒｔＦｏｒｍａｔ）（以後、ＴＦと略称する）を選択することができるＣＤＭＡ受信装置に関する。
【０００２】
【従来の技術】
従来、この種のＣＤＭＡ受信装置では、近年のマルチメディア通信に対応し、種類の異なるさまざまなデータを組み合わせて送受信する通信サービスが提供されている。これら規定の異なる複数のＴＦを組み合わせる通信サービスのデータ組合せ情報は、基本的に、転送フォーマット組合せ指標（Ｔｒａｎｓｐｏｒｔ  Ｆｏｒｍａｔ  Ｃｏｍｂｉｎａｔｉｏｎ  Ｉｎｄｉｃａｔｏｒ：以後、ＴＦＣＩと称する）により表示される。このＴＦＣＩは、各転送チャネルの持つＴＦ（転送フォーマット）情報の組み合わせを示す値であり、データまたは情報信号とは別に無線フレーム中に埋め込まれて送信されている。
【０００３】
送信側からは、その組合せをＴＦＣＩとして送出するので、受信側ではそれを正確に受け取る必要がある。すなわち、ＴＦＣＩを誤って受け取ると受けたデータのフレーム全体に係るＴＦが誤って認識され、フレーム全体のデータを正確に受け取ることができない。
【０００４】
この問題を解決するために１フレームを超えるインターリーブ長のデータを受信する際に、各フレーム毎の受信処理に用いるＴＦＣＩがより正しく検出されるようにして、インターリーブ期間におけるデータの受信及び復号の処理精度を向上させる装置が開示されている（例えば、特許文献１参照）。
【０００５】
例えば、図１０に示されるように、アンテナで受け、受信機１０１で復調されたデータ信号はデータ分離部１０５に入力する。一方、この信号に含まれるＴＦＣＩの符号は、ＴＦＣＩ検出部１０２がデマッピングすることにより検出され、ＴＦＣＩ保持部１０３に保持される。
【０００６】
ＴＦＣＩ選択部１０４は、保持された複数のＴＦＣＩのうち異なるものがある場合、例えば多数決処理により現フレームのＴＦＣＩを決定する。この決定されたＴＦＣＩがデータ分離部１０５に送られ、データ分離部１０５は、このＴＦＣＩにしたがって、受信機１０１から同時に送られたこの該当フレームの受信データに対してデータ分離処理を行う。
【０００７】
図１１を参照して、１０ｍｓごとの４フレームを４０ｍｓの経過時間で受信した場合について説明する。四つのフレームに対応する送信ＴＦＣＩが「２，２，２，２」の場合、受信ＴＦＣＩ「２，２，２，２」が受け取られるはずである。
【０００８】
しかし、空間を伝播する無線通信状態から図示されるように、第３番目のフレームである３０ｍｓ区間ではＴＦＣＩ「１」が検出された。
【０００９】
従って、最初の１０ｍｓ区間と第２番目の２０ｍｓ区間とのフレームでは、ＴＦＣＩ「２」が検出されているので、多数決により、第３番目をＴＦＣＩ「２」に修正し決定するという調停が行われる。この例では調停の手段を多数決としたが、受信レベルに基づく受信品質でもよいと記載されている。
【００１０】
また、この種のＣＤＭＡ受信装置では、一般的に転送チャネル分離、１次インターリービング、レートマッチング、ビタビ復号又はターボ復号による誤り訂正復号、及びＣＲＣ判定などの復号処理を行う際、復号処理を行う単位であるデータのブロックサイズ及びブロック数という情報を含むＴＦ情報が必要となる（例えば、非特許文献１参照）。
【００１１】
このＴＦ情報は、転送チャネル（Ｔｒａｎｓｐｏｒｔ  Ｃｈａｎｎｅｌ）（以後、転送ＣＨと略称する）と呼ばれるチャネル毎に決定されるものであり、転送時間間隔（Ｔｒａｎｓｍｉｓｓｉｏｎ  Ｔｉｍｅ  Ｉｎｔｅｒｖａｌ）（以後、ＴＴＩと略称する）と呼ばれる周期で異なる値を取ることができる。なお、このＴＴＩは、無線インターフェースのデータユニットの最小単位である無線フレーム長の整数倍の値をとる。上述したように、無線区間では、複数の転送ＣＨが多重されて送信されているため、各転送ＣＨの持つＴＦ情報の組み合わせを示す上記ＴＦＣＩが情報信号とは別に無線フレーム中に埋め込まれて送信されている。
【００１２】
従って、ＣＤＭＡ受信装置の復号部では復号処理を開始する前に、受信されたＴＦＣＩ信号を判定して、各転送ＣＨの復号処理に必要なＴＦ情報を知る必要がある。ＴＦＣＩは、各転送ＣＨにおけるＴＴＩの最小値毎に変更が可能であり、ＴＴＩが最小転送時間間隔と等しくない転送チャネルのＴＦ情報は、インターリーブ内、すなわちＴＴＩ内で一定でなければならない。
【００１３】
ＴＦＣＩ信号は長さ３０ビットの１個の符号語にマッピングされており、リード・マラー符号化されて送信されている。
【００１４】
【特許文献１】
特開２００３−０３７５８３号公報（図１、図２）
【００１５】
【非特許文献１】
「Ｗ−ＣＤＭＡ移動通信方式」立川敬二監修、丸善株式会社、平成１３年６月２５日発行、Ｐ．１０３−１１９，１４３−１４６
【００１６】
【発明が解決しようとする課題】
上述した従来のＣＤＭＡ受信装置では、ＴＦＣＩの誤りを多数決または受信品質に基づいて修正する調停手段を備えて、その組み合わされた転送フォーマットの誤りを是正しようとしている。しかしながら、転送チャネルのサイズを決定するのは転送チャネル毎に異なる転送フォーマットであり、ＴＦＣＩ自体は多重された転送チャネルの最小ＴＴＩ間隔で変更されることから、誤りの是正に対して十分な効果が期待できないという問題点がある。
【００１７】
すなわち、ＴＦＣＩ復号アルゴリズムは復号されたＴＦＣＩに誤りがないかどうかを判断することはできないため、ＴＦＣＩ信号が誤って復号された場合、システムは得られたＴＦＣＩが無線フレームの正しい各転送チャネルの状態を示しているかのようにデコード処理を行ってしまう。
【００１８】
このため、多重化パラメータ、レートマッチング、及び誤り訂正復号の処理を誤って実行し、その結果として各転送チャネルの無線フレームデータは失われてしまう。また、この障害は後続のＣＲＣ（冗長度符号チェック）で始めて検出される。
【００１９】
このような情報の損失によって、損失した無線フレームを再送するように上位層機能が要求するので、ネットワークはデータの再送信を行うことになる。しかし、無線リソースは有限であるため、再送信により無線リソースの使用効率を下げてしまうことになる。
【００２０】
本発明の課題は、このような問題点を解決し、転送チャネルの復号処理に用いる転送フォーマット情報を確定する際、誤ったＴＦＣＩを受け取っても、信憑性の高い転送フォーマット（ＴＦ）を選択することができるＣＤＭＡ受信装置を提供することである。
【００２１】
【課題を解決するための手段】
本発明によるＣＤＭＡ受信装置は、ＣＤＭＡ（符号分割多重アクセス）方式の移動体通信システムに用いられ、転送チャネルの転送時間間隔中にフレームにより異なった転送フォーマットを受け取った際に、受け取った転送フォーマットのうち最も確からしい一つを調停転送フォーマットに決定する調停手段を備えている。すなわち、誤ったＴＦＣＩに対する調停ではなく、この組合せ要素である転送フォーマット自体を同一化して調停するので、ＴＦＣＩのみの調停より正確度を向上させることができる。
【００２２】
また、前記調停手段は、転送チャネルの復号処理に用いる転送フォーマット情報を確定する際、下記の転送フォーマットを前記調停転送フォーマットに選定して転送フォーマット情報に確定することができる。
【００２３】
例えば、その一つは同一の転送時間間隔中に受け取った中で最多数の転送フォーマットである。他の一つは同一の転送時間間隔中に取得したフレームにおけるＴＦＣＩ（転送フォーマット組合せ指標）尤度の総和が最大である転送フォーマットである。他の一つは同一の転送時間間隔中に取得したフレームにおける受信品質情報の総和が最高である転送フォーマットである。他の一つは同一の転送時間間隔中に取得したフレームにおけるＴＦＣＩ（転送フォーマット組合せ指標）尤度の最大値を有する転送フォーマットである。更に他の一つは同一の転送時間間隔中に取得したフレームにおける受信品質情報の最高値を有する転送フォーマットである。
【００２４】
また、本発明によるＣＤＭＡ受信装置は、最終フレームで行う処理のうち、少なくともレートマッチング、誤り訂正復号、及びＣＲＣ（冗長度符号チェック）判定それぞれの処理を転送時間間隔内で一つにされた前記調停転送フォーマットに基づいて行うことがよい。これにより、転送チャネル分離、無線フレーム結合、及び１次インターリービングそれぞれの処理を各フレームにおける転送フォーマット情報で実行できるので、処理時間の短縮を図ることができる。
【００２５】
【発明の実施の形態】
次に、本発明の実施の形態について図面を参照して説明する。図面は紙面の大きさが限定されるので、本発明に係る主要部分のみを示している。
【００２６】
上述したＣＤＭＡ受信装置との相違は、復号したＴＦＣＩ（転送フォーマット組合せ指標）情報からＴＦ（転送フォーマット）情報を取得し、ＴＴＩ（転送時間間隔）内に取得した複数のＴＦから一つの調停ＴＦを選択して転送ＣＨ（チャネル）復号に用いる点である。
【００２７】
図１は本発明における第一の実施の形態を示す機能ブロック図である。
【００２８】
図１に示されたＣＤＭＡ受信装置では、物理チャネル情報を受付ける信号受付部１０に、物理ＣＨ分離１１、２次インターリービング１２、物理ＣＨ結合１３、転送ＣＨ分離１４、タイマ１５、及びＴＦＣＩ復号１６が備えられている。
【００２９】
また、転送ＣＨごとに設けられる転送ＣＨ復号部２０は、ＴＦＣＩテーブル２１、フレーム計測ＴＦ判定格納２２、ＴＴＩ内最多ＴＦ調停２３、無線フレーム結合２４、１次インターリービング２５、レートマッチング２６、誤り訂正復号２７、及びＣＲＣ判定２８を備えている。
【００３０】
図１での特徴は、フレーム計測ＴＦ判定格納２７及びＴＴＩ内最多ＴＦ調停２８にある。
【００３１】
物理ＣＨ分離１１は物理チャネル情報を受けて物理チャネルに分離したデータ信号を２次インターリービング１２に送る一方、ＴＦＣＩ信号を検出してＴＦＣＩ復号１６に送る。物理ＣＨ分離１１は、物理チャネル情報から更にＴＰＣ（転送パワー制御）信号及びパイロット信号を取り出すが、これら信号は本発明と直接関係がなく、その処理は一般に当業者に周知であるため説明を省略する。
【００３２】
２次インターリービング１２は、物理ＣＨ分離１１から受けた物理チャネルごとのデータ信号を物理チャネル毎に並び替えするインターリービングを行って物理ＣＨ結合１３へ送る。物理ＣＨ結合１３は、２次インターリービング１２から受けた物理チャネルごとの複数物理チャネルの情報を再度一つに纏めて転送ＣＨ分離１４へ送る。
【００３３】
転送ＣＨ分離１４は、物理ＣＨ結合１３から受けたデータ信号を、転送ＣＨ復号部２０のＴＴＩ内最多ＴＦ調停２８から調停ＴＦとして最多ＴＦを受けて、該当する転送チャネルに分離して転送ＣＨ復号部２０それぞれに送出する。
【００３４】
タイマ１５はＴＦＣＩ復号１６にフレームタイミングを通知する。ＴＦＣＩ復号１６は、物理ＣＨ分離１１から受けたＴＦＣＩ信号を、リード・マラー復号により長さ３０ビットの１個の符号語から１０ビットのＴＦＣＩ情報に生成して転送ＣＨ復号部２０のフレーム計測ＴＦ判定格納２２に送出する。ＴＦＣＩ情報はＴＦＣＩ候補とその相関値（図示せず）とから構成される。リード・マラー復号化は、当業者にとって周知であるため、その説明は省略する。
【００３５】
図２には、三つの転送ＣＨ−０，１，２それぞれにおけるＴＦ（転送フォーマット）の組合せを例としたＴＦＣＩテーブル２１が示されている。
【００３６】
ＴＦＣＩテーブル２１では３６個のＴＦＣＩ「０〜３５」のうち「０〜１７」及び「１８〜３５」それぞれに対して転送ＣＨ−０のＴＦが「０」から「５」までそれぞれの三つ宛を割り当てている。転送ＣＨ−１のＴＦは「０、１、２」の三つ宛をＴＦＣＩで「０〜２、３〜５、・・、３３〜３５」の１２組に構成されている。転送ＣＨ−２のＴＦでは「０」及び「１」の二つがＴＦＣＩの「０〜１７、１８〜３５」の２組を構成している。
【００３７】
転送ＣＨごとに設けられる転送ＣＨ復号部２０のフレーム計測ＴＦ判定格納２２は、ＴＦＣＩ復号１６から受けるＴＦＣＩ情報に対し、ＴＦＣＩテーブル２１を参照して各転送チャネルそれぞれで対応するＴＦ情報を判定して格納すると共に呼出しに応じてＴＴＩ内最多ＴＦ調停２３に送出している。
【００３８】
ＴＴＩ内最多ＴＦ調停２３は、フレーム毎に転送チャネルのＴＦ情報を取り込み、転送ＣＨのＴＦ情報をカウントし、各転送ＣＨのＴＴＩの最終フレームで最も多く計数された最多ＴＦ情報を、転送ＣＨ分離１４、並びに、一次インターリービング２５、レートマッチング２６、誤り訂正復号２７、及びＣＲＣ判定２８に送出する。
【００３９】
受け付した最多ＴＦ情報に従い、転送ＣＨ分離１４、並びに、一次インターリービング２５、レートマッチング２６、誤り訂正復号２７、及びＣＲＣ判定２８では、転送ＣＨのブロック数とブロックサイズとを含むサイズに分割し、復号処理が行われる。
【００４０】
具体的には、転送ＣＨ分離１４は物理ＣＨ結合１３から受けたデータを転送チャネル毎にデータを分離し、各転送ＣＨ復号部２０の無線フレーム結合２４に送出する。無線フレーム結合２４は転送ＣＨ分離１４から受けた転送チャネル毎のデータをＴＴＩ単位に結合して１次インターリービング２５に送出する。１次インターリービング２５は受けたデータに対し転送チャネルサイズに基づいて１次インターリービングを行い、結果をレートマッチング２６へ送出する。レートマッチング２６は、転送チャネルのサイズに従い、受けたデータをリピートもしくはパンクチャして誤り訂正復号２７へ送る。誤り訂正復号２７は受けたレートマッチングされたデータを復号し復号データをＣＲＣ判定２８へ送出する。ＣＲＣ判定２８は復号されたデータと共にそのＣＲＣ判定結果を上位レイヤへＴＴＩ毎に報告する。
【００４１】
次に、図３を参照して、図１のＴＦＣＩ復号１６、フレーム計測ＴＦ判定格納２２、ＴＴＩ内最多ＴＦ調停２３において取り扱うＴＦ情報について説明する。
【００４２】
図示される経過時間０ｍｓ、１０ｍｓ、２０ｍｓ、及び４０ｍｓそれぞれのフレームにおいて、送信ＴＦＣＩ「３５，２３，２３，２９」の変化に対応する受信ＴＦＣＩは「３５，２２，２３，１１」の変化である。すなわち、１０ｍｓ及び３０ｍｓのフレーム時点で、送受信間でのＴＦＣＩの番号が相違している。このＴＦＣＩ番号に対応するＴＦ番号は図２に示されており、例えばＴＦＣＩ「２３」では転送ＣＨ−０，１，２に対応してＴＦ「１，２，１」が得られる。
【００４３】
この例では、基地局が送信したＴＦＣＩを端末側で受信した際に、通信環境の劣化のためにＴＦＣＩ復号を失敗したとしても、転送ＣＨ−０はＴＴＩが１０ｍｓなのでフレーム計測ＴＦ判定格納２２の出力ＴＦ「５，１，１，３」をそのまま採用する。また、転送ＣＨ−１は、ＴＴＩが２０ｍｓなので、経過時間の０ｍｓと１０ｍｓとのフレームに対応する最初のＴＴＩではＴＦ判定が「２，１」となり情報の不一致を生じる。この時ＴＴＩ内最多ＴＦ調停２３では転送ＣＨのサイズが大きいＴＦ「２」を選択して調停ＴＦとする。また、転送ＣＨ−２はＴＴＩが４０ｍｓなので四つのＴＦ情報のうち三つが該当するＴＦ「１」を調停ＴＦとして選択する。
【００４４】
また、図４は上記図２及び図３と対応する各転送チャネルのＴＦ情報における転送ブロック（Ｂｌｋ）数と転送ブロック（Ｂｌｋ）サイズとの関係を一例で示している。
【００４５】
次に、図５に図１から図４までを併せ参照して、図１における主要動作手順について説明する。
【００４６】
まず、物理ＣＨ分離１１でフレーム割り込み（手順Ｓ１）により取得した物理チャネル情報はデータ信号及びＴＦＣＩ信号とＴＰＣ（転送パワー制御）信号及びパイロット信号とに分離（手順Ｓ２）される。データ信号は、物理ＣＨ分離１１から２次インターリービング１２に送られて２次インターリービングされ、次いで、物理チャネル毎に結合（手順Ｓ３）される。一方、上記手順Ｓ２で分離されたＴＦＣＩ信号はＴＦＣＩ復号１６でＴＦＣＩ情報に復号され、ＴＦＣＩ復号１６でタイマ１５からフレーム番号が取得（手順Ｓ４）される。ＴＰＣ信号及びパイロット信号は上述したように本発明の機能とは別の機能で用いられる。
【００４７】
転送ＣＨ復号部２０では、フレーム計測ＴＦ判定格納２２がフレーム計測を初期化（手順Ｓ５）してフレームタイミングの計測を開始すると共に、転送ＣＨ毎にＴＦＣＩ復号１６から送られた最初のフレームのＴＦＣＩ情報を取得（手順Ｓ６）する。フレーム計測ＴＦ判定格納２２は、取得したＴＦＣＩ情報からＴＦＣＩテーブル２１を基に転送チャネルのＴＦを判定して、フレーム毎にＴＦを格納（手順Ｓ７）する。従って、各転送ＣＨでは、図３に示されるようなＴＦ判定がフレームを追って記録保持される。
【００４８】
ＴＴＩ内最多ＴＦ調停２３は、フレーム番号が転送チャネルのＴＴＩの最終フレームかを判断（手順Ｓ８）し、手順Ｓ８が「ＮＯ」で最終フレームでない場合に、フレームカウンタを一つカウントアップ（手順Ｓ９）して次のフレームのＴＦＣＩ情報を取得（手順Ｓ１０）し、上記手順Ｓ７戻って上記手順を繰り返す。
【００４９】
他方、手順Ｓ８が「ＹＥＳ」で最終フレームの場合は以下の処理を行う。
【００５０】
まず、上記手順Ｓ７で格納したＴＦの中からＴＴＩ内で最も多いＴＦを調停ＴＦとして決定する多数決調停（手順Ｓ１１）を実行し、この最多ＴＦによる調停ＴＦを転送ＣＨ分離１４、並びに、一次インターリービング２５、レートマッチング２６、誤り訂正復号２７、及びＣＲＣ判定２８に送出する。この最多ＴＦである調停ＴＦを受け取った際に、この調停ＴＦに従って転送ＣＨのチャネルサイズであるブロック数とブロックサイズとを決定（手順Ｓ１２）する。
【００５１】
転送ＣＨ分離１４は、この転送チャネルサイズにより転送チャネル分離（手順Ｓ１３）を行い、それぞれの転送チャネルにおいて無線フレーム結合及び１次インターリービングを実行（手順Ｓ１４）した後、レートマッチング、誤り訂正復号、及びＣＲＣ判定という復号処理を行って、復号データとＣＲＣ判定結果とを上位レイヤへ送出（手順Ｓ１５）して、手順を終了する。
【００５２】
転送ＣＨ復号部２０の処理は転送チャネルの数だけ繰り返される。
【００５３】
上記手順Ｓ５から手順Ｓ８までと更に手順Ｓ９及び手順Ｓ１０とを介して繰り返してフレーム毎にＴＦを格納する操作は周知のカウント手段を用いることができる。例えば、転送ＣＨ毎にそれぞれのＴＦの個数だけ持つカウンタ領域を予め設定しておく。すなわち、図３における転送ＣＨ−２の場合では、カウンタ領域は「３」である。手順Ｓ５に示されるように、最初に各転送チャネルにおけるＴＴＩの先頭フレームでは、その領域は「０」に初期化される。手順Ｓ６で各フレームのＴＦＣＩが確定し、手順Ｓ７でＴＦＣＩテーブルから転送チャネルのＴＦが判定されると、手順Ｓ８でその値が「０」と比較される。比較して一致しない「ＮＯ」の場合には、カウンタは「１」を加えられ、手順Ｓ１０により手順Ｓ７に戻る。戻る手順を繰り返してカウントがアップされ「３」になった際には手順Ｓ８は一致して「ＹＥＳ」となり、最終フレームを検出することができる。
【００５４】
また、フレーム毎に格納したＴＦの中からＴＴＩ内で復号に使用するＴＦの調停操作にも周知の方法が適用できる。例えば、転送チャネル毎にその転送チャネルのＴＦ数で動作手順を繰り返し、手順Ｓ７で行ったフレーム毎にＴＦを格納したＴＦ格納領域の中から最大値を選択する。また、例えば、手順Ｓ１１において転送チャネルのサイズが大きい方のＴＦを即時に選択できるように、先の手順Ｓ７において転送チャネルごとに、ＴＦの並び方を番号が大きくなるように昇順にするとよい。
【００５５】
上記説明では、手順Ｓ４は上記手順Ｓ３に続くとして図示したが、手順Ｓ３と手順Ｓ４とは並列動作が処理時間短縮のため望ましい。また、その順序が入れ替わっても、所定時間内の動作があれば所定の機能を満たすことができる。
【００５６】
上述のように、図示された機能ブロックおよび手順を参照して実施の形態を説明しているが、機能の分離併合による配分または手順の前後入替えなどの変更は上記機能を満たす限り自由であり、上記説明が本発明を限定するものではない。
【００５７】
次に、図６及び図７を併せ参照して上述したものとは異なる第二の実施の形態について説明する。第二の実施形態は、ＴＴＩの最終フレームでの処理時間を短縮するために工夫されている。
【００５８】
すなわち、転送チャネルのデコード結果は転送時間間隔の最終フレームの終了から一定時間以内に上位層に受信データを上げなくてはならいが、現実には無線情報を逆拡散し、２次インターリービング、物理チャンネル結合、転送チャネル結合、無線フレーム結合、１次インターリービング、レートマッチング、誤り訂正復号、及びＣＲＣ判定において処理時間が発生するため、処理時間はできるだけ短くできる構成にすることが望ましい。そのため、ＴＴＩ最終フレームの処理時間を短くするために、ＴＴＩ最終フレームでなくても可能な処理、例えば２次インターリービング又は物理チャネル結合を最多ＴＦの調停以前に行う。そのためには、転送チャネルのサイズを規定しておく必要があり、通常は、ＴＴＩの先頭フレームで転送チャネル毎にＴＦを固定して物理チャネル結合並びに２次インターリビング及び１次インターリビングを行っている。
【００５９】
従って、第二の実施形態では、ＴＴＩの最終フレームでの処理時間を短縮するために、ＴＴＩ最終フレーム以外でも可能な処理を通常フレームで処理させている。通常フレームで行う処理は転送チャネル分離と無線フレーム結合と１次インターリービングとし、これらを行うためのＴＦについては各フレームのＴＦＣＩから求めることが可能なＴＦ情報を使用する。レートマッチング、誤り訂正復号、及びＣＲＣ判定に関して使用するＴＦ情報にはＴＴＩ内最多ＴＦを使用する。
【００６０】
すなわち、第二の実施形態における図６が先の図１と相違する点は、転送ＣＨ分離３４、無線フレーム結合４４、及び１次インターリービング４５が、最多ＴＦ情報ではなく、フレーム計測ＴＦ判定格納２２が送出するＴＦ情報を受けていることである。これ以外の構成要素は図１と同様であり、その説明は省略する。
【００６１】
また図７は図６における主要動作手順を示すフローチャートである。
【００６２】
図７と先の図５との相違は、手順Ｓ６に続く転送フォーマットの判定・格納以降の処理手順にある。
【００６３】
すなわち、手順Ｓ６でＴＦＣＩ復号１６からＴＦＣＩ情報を取得したフレーム計測ＴＦ判定格納２２は、取得したＴＦＣＩ情報からＴＦＣＩテーブル２１を基に転送チャネルのＴＦを判定し、フレーム毎にＴＦを格納（手順Ｓ２１）する。従って、各転送チャネルでは、図３に示されるようなＴＦ判定がフレームを追って記録保持される。このＴＦ情報には、各フレームでの転送チャネルサイズの大きさが含まれており、記録保持されたＴＦ情報によりＴＦの転送ブロック数及びそのサイズが決定（手順Ｓ２２）される。このＴＦ情報は転送ＣＨ分離３４及び１次インターリービング４５に送られる。
【００６４】
転送ＣＨ分離１４は、この転送チャネルサイズにより転送チャネル分離（手順Ｓ２３）を行い、それぞれの転送チャネルにおいて無線フレーム結合及び１次インターリービングを実行（手順Ｓ２４）する。
【００６５】
ＴＴＩ内最多ＴＦ調停２３は、フレーム番号が転送チャネルのＴＴＩの最終フレームかを判断（手順Ｓ２５）し、手順Ｓ２５が「ＮＯ」で最終フレームでない場合、フレームカウンタを一つカウントアップ（手順Ｓ２６）して次のフレームのＴＦＣＩ情報を取得（手順Ｓ２７）し、上記手順Ｓ２１に戻って手順を繰り返す。他方、手順Ｓ２５が「ＹＥＳ」で最終フレームの場合は以下の処理を行う。
【００６６】
まず、上記手順Ｓ２１で格納したＴＦの中からＴＴＩ内で最も多いＴＦを調停ＴＦとして決定する多数決調停（手順Ｓ３１）を実行し、この最多ＴＦによる調停ＴＦをレートマッチング２６、誤り訂正復号２７、及びＣＲＣ判定２８に送出する。この最多ＴＦである調停ＴＦを受け取った際に、この調停ＴＦに従って転送ＣＨのチャネルサイズであるブロック数とブロックサイズとを決定（手順Ｓ３２）した後、レートマッチング、誤り訂正復号、及びＣＲＣ判定という復号処理を行って、復号データとＣＲＣ判定結果とを上位レイヤへ送出（手順Ｓ３３）して、手順を終了する。
【００６７】
このように、通常フレームで行う処理とＴＴＩの最終フレームで行う処理とを分けることにより１フレーム中に行う処理量を減らすことが可能となる。この処理量が減少することにより高速に動作する回路が不要になり、消費電力を低減させることができる。さらに、ＴＴＩの最終フレームで行う処理を他のフレームで行うことで、ＴＴＩ中の復号処理量を平均化させることができるので、ＴＴＩの最終フレームで必要なＣＤＭＡ受信装置の処理速度を抑えることができるため、ＣＤＭＡ受信装置が過度の高速処理能力を必要としないで済む。
【００６８】
次に、図８に図１及び図５により上述した第一の実施形態を併せ参照して本発明における第三の実施形態について説明する。
【００６９】
上記手順Ｓ７において、フレーム計測ＴＦ判定格納２２は、ＴＦの格納を行う際に、ＴＦを求めたフレームのＴＦＣＩの尤度情報、例えば図示されるように、「０ｘ０８３１，０ｘ０３７４，０ｘ０２６５，０ｘ０３４９」を同時に記録する。ＴＦＣＩの尤度はＴＦＣＩ情報とＴＦＣＩとの相関を示しており、尤度が大きいほどＴＦＣＩとＴＦＣＩデータとの相関が高いことを示す。すなわち、ＴＦＣＩの尤度が大きい時のＴＦの方がより信頼度が高いと考えてよい。
【００７０】
従って、ＴＴＩ内最多ＴＦ調停２３は、最大尤度によるＴＦ調停処理により、ＴＦ毎の尤度の合計を算出し、もっとも尤度の合計が大きいＴＦを調停ＴＦとしている。この調停ＴＦを使用して、転送チャネル分離１４、１次インターリービング２５、誤り訂正復号２７、及びＣＲＣ判定２８が行われる。図８では、ＴＦ候補「１」の尤度合計「０ｘ０Ａ９６」がＴＦ候補「０」の尤度合計「０ｘ０６ＢＤ」より大きいので、調停ＴＦとして「１」が選定される。
【００７１】
このように、上述した実施の形態より、さらに信憑性の高いＴＦを選択することができるので、一層のＴＦ誤りのない転送チャネル情報を上位層に報告することが可能となる。
【００７２】
この第三の実施形態では、尤度の合計値を判定基準として用いたが、尤度の平均値又は最大値を用いてもよく、その際にも同様の効果を得ることができる。
【００７３】
次に、図９に図１及び図５により上述した第一の実施形態を併せ参照して本発明における第四の実施形態について説明する。
【００７４】
第四の実施形態では、フレーム計測ＴＦ判定格納２２においてＴＦの格納で計数を行う際に、各フレームでの信号対雑音及び干渉電力比（ＳＩＲ）を記録している。信号対雑音及びＳＩＲ（干渉電力比）は各フレームの受信品質を示す。したがって、ＳＩＲが大きい時のＴＦの方がより信頼度が高いと考えることができる。
【００７５】
すなわち、上記手順Ｓ７において、フレーム計測ＴＦ判定格納２２は、ＴＦの格納を行う際に、ＴＦを求めたフレームの受信品質、例えば図示されるように、「−９５ｄＢｍ，−９０ｄＢｍ，−８５ｄＢｍ，−１００ｄＢｍ」を他の情報と同時に順次記録する。
【００７６】
従って、ＴＴＩ内最多ＴＦ調停２３は最高受信品質によるＴＦ調停処理を実行してＴＦ毎のＳＩＲの合計を算出し、最もＳＩＲの合計が高いＴＦを調停ＴＦに選定する。従ってこの調停ＴＦを用いて、転送チャネル分離、１次インターリービング、誤り訂正復号、及びＣＲＣ判定が行われる。
【００７７】
図９では、ＴＦ候補「１」の受信品質合計「−９０ｄＢｍ」がＴＦ候補「０」の受信品質合計「−９５ｄＢｍ」より高いので、調停ＴＦとして「１」が選定される。
【００７８】
このように、上述した実施の形態より、さらに信憑性の高いＴＦを選択することができるので、一層のＴＦ誤りのない転送チャネル情報を上位層に報告することが可能となる。
【００７９】
この第四の実施形態では、受信品質を測定する信号として信号対雑音及び干渉電力比（ＳＩＲ）を用いたが、別の受信品質を表す信号を用いてもよく、その際にも同様の効果を得ることができる。
【００８０】
【発明の効果】
以上説明したように本発明によれば、より信憑性の高いＴＦを選択できるＣＤＭＡ受信装置を提供することができるという効果が得られる。
【００８１】
その理由は、少なくともレートマッチング、誤り訂正復号、及びＣＲＣ判定それぞれの処理の用いられる転送フォーマットとして、転送チャネルの転送時間間隔中にフレームにより異なった転送フォーマットを受け取った際に、受け取った転送フォーマットから最も確からしい一つを調停転送フォーマットに決定しているからである。例えば、この最も確からしい一つとして、転送チャネルの復号処理に用いる転送フォーマット情報を確定する際、同一の転送時間間隔中に取得したフレームにおける転送フォーマットから、最多数、最大尤度、又は最高受信品質の転送フォーマットを対象に選定し確定しているからである。
【図面の簡単な説明】
【図１】本発明による機能ブロックの第一の実施形態を示す図である。
【図２】ＴＦＣＩテーブルの一例を示す図である。
【図３】多数決調停による調停ＴＦの選択という第一の実施形態を示す図である。
【図４】転送フォーマット情報のサイズに対する実施の一態様を示す図である。
【図５】本発明による処理手順の第一の実施形態を示すフローチャートである。
【図６】本発明による機能ブロックの第二の実施形態を示す図である。
【図７】本発明による処理手順の第二の実施形態を示すフローチャートである。
【図８】尤度合計による調停ＴＦの選択という第三の実施形態を示す図である。
【図９】受信品質合計による調停ＴＦの選択という第四の実施形態を示す図である。
【図１０】従来の機能ブロックの一例を示す図である。
【図１１】従来の多数決調停によりＴＦを選択するという一例を示す図である。
【符号の説明】
１０    信号受付部
１１    物理ＣＨ分離
１２    ２次インターリービング
１３    物理ＣＨ結合
１４、３４    転送ＣＨ分離
１５    タイマ
１６    ＴＦＣＩ復号
２０    転送ＣＨ復号部
２１    ＴＦＣＩテーブル
２２    フレーム計測ＴＦ判定格納
２３    ＴＴＩ内最多ＴＦ調停
２４、４４    無線フレーム結合
２５、４５    １次インターリービング
２６    レートマッチング
２７    誤り訂正復号
２８    ＣＲＣ判定
【図１】
2004349763.tif 000003
【図２】
2004349763.tif 000004
【図３】
2004349763.tif 000005
【図４】
2004349763.tif 000006
【図５】
2004349763.tif 000007
【図６】
2004349763.tif 000008
【図７】
2004349763.tif 000009
【図８】
2004349763.tif 000010
【図９】
2004349763.tif 000011
【図１０】
2004349763.tif 000012
【図１１】
2004349763.tif 000013